(57)【要約】【課題】天部が屋根型で上端にトップシール部が設けられた屋根型紙パックに取り付けても、開いた蓋部材がトップシール部に当たることなく、スパウト部の上端の周縁に対して、蓋部材が大きく開くことができる口栓を提供する。【解決手段】天部に傾斜した２つの屋根板２０４と屋根板同士が突き当たった上端部にトップシール部を有する屋根型紙パックに取り付ける口栓１００であって、スパウト部１と蓋部材２がヒンジ部３を介して接続され、スパウト部は、下端に屋根板に取り付けるためのフランジ部１１と、フランジ部の上方に垂直方向に伸びるスパウト部周壁１３を有し、フランジ部からスパウト部周壁の上端までの長さが、屋根板の傾斜の下側より、傾斜の上側が長くなっていて、フランジ部からスパウト部周壁の上端までの長さが長いスパウト部周壁の上端部分にヒンジ部が設けられ蓋部材が連設されている。【選択図】図２
2015085949.tif 000002
【特許請求の範囲】
【請求項１】
天部に傾斜した２つの屋根板と該屋根板同士が突き当たった上端部にトップシール部を有する屋根型紙パックに取り付ける口栓であって、
スパウト部と蓋部材がヒンジ部を介して接続され、前記スパウト部は、下端に前記屋根板に取り付けるためのフランジ部と、該フランジ部の上方に垂直方向に伸びるスパウト部周壁を有し、前記フランジ部から前記スパウト部周壁の上端までの長さが、前記屋根板の傾斜の下側より、傾斜の上側が長くなっていて、前記フランジ部から前記スパウト部周壁の上端までの長さが長い前記スパウト部周壁の上端部分に前記ヒンジ部が設けられ前記蓋部材が連設されていることを特徴とする口栓。
【請求項２】
前記蓋部材に、開いた状態で前記トップシール部に係止する係止部が設けられていることを特徴とする請求項１に記載の口栓。
【発明の詳細な説明】
【技術分野】
【０００１】
本発明は、口栓に関するものである。特に、天部が屋根型でトップシール部が設けられた紙パックに用いる口栓に関するものである。
【背景技術】
【０００２】
食品や非食品の液体内容物に使用される紙パックは、果汁飲料、ジュース、お茶、コーヒー、乳飲料、スープ等の液体飲料、日本酒、焼酎等の酒類に広く用いられている。
【０００３】
この紙パックは、紙を基材と内面に熱可塑性樹脂によるシーラント層が設けられた積層材料からなり、紙基材とシーラント層の間にアルミ箔やアルミ蒸着フィルム、あるいは、無機酸化物蒸着フィルムなどのバリア性のある層を設けたり、また、外層に耐水のために樹脂層を設けたり、美粧性のために、外層にポリエステルの裏刷り印刷フィルムを用いたり、アルミ蒸着フィルムを用いたものなどがある。
【０００４】
紙パックの形状としては、底部に環状脚部を持つ紙カップ形状のものもあるが、多くは、四角柱形の胴部と平らな底部からなり、天部が切り妻屋根型で上端にトップシール部が設けられた屋根型紙パックが多く用いられている。また、天部にスパウトと蓋からなる口栓を設け、注ぎ易さや、開封容易性と再封性を持たせた紙パックも一般的に用いられるようになってきている。
【０００５】
このような紙パックの口栓には、スパウト部と蓋部材がヒンジ部を介して接続して一体となっているものがある（特許文献１）。この口栓ではスパウト部の上端の周縁が、紙パックの屋根型の屋根板に対して平行になっていて、蓋部材がスパウト部に対して大きく開くようにはなっていない。
【０００６】
この上端の周縁が紙パックの屋根型の屋根板に対して平行になっている口栓では、開いた蓋部材がトップシール部に当たってしまって、大きく開くのを阻害される恐れがある。
【０００７】
また、収納された内容物が液体の場合は、内容物を注ぎ出すときに、蓋部材が大きく開かなくとも邪魔になることはないが、内容物が粉粒体の場合、流れが悪いので、大きく傾けて振って出したりしている。このときに蓋部材に内容物がかかり、邪魔になってしまうことがあった。
【０００８】
公知文献を以下に示す。
【先行技術文献】
【特許文献】
【０００９】
【特許文献１】特開平７−２９１２７４号公報
【発明の概要】
【発明が解決しようとする課題】
【００１０】
本発明は上記のような事情に鑑みてなされたもので、天部が屋根型で上端にトップシール部が設けられた屋根型紙パックに取り付けても、開いた蓋部材がトップシール部に当たることなく、スパウト部の上端の周縁に対して、蓋部材が大きく開くことができる口栓を提供することを課題としている。
【課題を解決するための手段】
【００１１】
本発明は係る課題に鑑みなされたものであり、請求項１の発明は、天部に傾斜した２つの屋根板と該屋根板同士が突き当たった上端部にトップシール部を有する屋根型紙パックに取り付ける口栓であって、
スパウト部と蓋部材がヒンジ部を介して接続され、前記スパウト部は、下端に前記屋根板に取り付けるためのフランジ部と、該フランジ部の上方に垂直方向に伸びるスパウト部周壁を有し、前記フランジ部から前記スパウト部周壁の上端までの長さが、前記屋根板の傾斜の下側より、傾斜の上側が長くなっていて、前記フランジ部から前記スパウト部周壁の上端までの長さが長い前記スパウト部周壁の上端部分に前記ヒンジ部が設けられ前記蓋部材が連設されていることを特徴とする口栓である。
【００１２】
本発明の請求項２の発明は、前記蓋部材に、開いた状態で前記トップシール部に係止する係止部が設けられていることを特徴とする請求項１に記載の口栓である。
【発明の効果】
【００１３】
本発明の口栓は、スパウト部の上端の周縁に対して、蓋部材が大きく開くことができる。また、紙パックの上端のトップシール部に当たって、大きく開くのを阻害されることもない。そして、このように大きく開くことができるので、内容物が流動性の低い粉粒体であって、大きく傾けて振って出したりする場合でも、蓋部材が邪魔になってしまうことがない。
【００１４】
また、蓋部材に紙パックの上端のトップシール部に係止する係止部が設けられていれば、振って出す場合にも、蓋部材が揺れて、振り出された内容物が蓋部材に当たることがなく、このため、内容物が飛び散る恐れがない。
【図面の簡単な説明】
【００１５】
【図１】本発明の口栓の一例を模式的に断面で示した説明図である。
【図２】本発明の口栓の一例で蓋部材が開いた状態を模式的に断面で示した説明図である。
【図３】本発明の口栓の一例を紙パックに取り付けた状態の上部を模式的に示した説明図である。
【図４】本発明の口栓の一例を取り付けた紙パックから収納された粉粒体を振り出す様子を模式的に示した説明図である。
【図５】（ａ）本発明の口栓の一例の上面板に設けた振出し口を模式的に示した説明図である。（ｂ）本発明の口栓の他の例の上面板に設けた振出し口を模式的に示した説明図である。
【図６】本発明の口栓の更に他の例を紙パックに取り付けた状態を模式的に正面で示した説明図である。
【発明を実施するための形態】
【００１６】
以下、本発明を実施するための形態につき説明する。
図１は、本発明の口栓の一例を模式的に断面で示した説明図である。
図２は、本発明の口栓の一例で蓋部材が開いた状態を模式的に断面で示した説明図である。
【００１７】
本例の口栓１００は、図１の断面図に示すように、スパウト部１と蓋部材２がヒンジ部３を介して接続されている。スパウト部１の下端は、紙パックに熱融着させて取り付けるフランジ部１１が設けられている。
【００１８】
フランジ部１１の上に台座部１２が設けられ、更にスパウト部周壁１３が設けられている。スパウト部周壁１３の上端にスパウト部周壁１３の先端を塞ぐように上面板１４が設
けられて上面板１４の中央部分に１つの貫通孔１５ａからなる振出し口１５が設けられている。
【００１９】
また、上面板１４のヒンジ部３と反対側には、蓋部材２を閉めた状態で留めるスパウト部ロック機能１６が設けられている。スパウト部ロック機能１６は本例では、根元が細く、曲線を描いて上端が太くなっているロック突起になっている。
【００２０】
そして、フランジ部１１からスパウト部周壁１３の上端までの長さが、ヒンジ部３側が、反対側より高くなっている。そして、スパウト部周壁１３の上端の周縁は、フランジ部１１に対して傾斜している。このフランジ部１１とスパウト部周壁１３の上端の周縁のなす角度は、２０°から７０°が好ましく、４５°が特に好ましい。
【００２１】
蓋部材２は、天面板２１と天面板２１の周縁部から下方に伸びる蓋部材周壁２２からなっている。蓋部材周壁２２は下端部が、スパウト部周壁１３の傾斜に合わせて傾斜していて、ヒンジ部３側では高さがほとんどないように形成されている。そして、このヒンジ部３側で天面板２１がヒンジ３に接続している。
【００２２】
蓋部材周壁２２のヒンジ部３の反対側には、蓋部材２を開けやすいように、外側に突出した鍔部２３が設けられている。鍔部２３の設けられている蓋部材周壁２２の内側面には、スパウト部２に設けられたスパウト部ロック機能１６とロックする蓋部ロック機構２４が内側に向かって盛り上がったロック突起として設けられている。
【００２３】
蓋部材２をスパウト部１の上端に被せ、蓋を閉めると、この蓋部ロック機構２４がスパウト部ロック機能１６を乗り越えて嵌合し、スパウト部１に蓋部材２をロックする。
【００２４】
天面板２１の中央部分には、密封軸２５が下に向かって設けられている。この密封軸２５が蓋を閉めたときに、スパウト部１の上面板１４の中央部分に設けられた１つの貫通孔１５ａからなる振出し口１５に挿入され密封する。
【００２５】
図３は、本発明の口栓の一例を紙パックに取り付けた状態の上部を模式的に示した説明図である。
図４は、本発明の口栓の一例を取り付けた紙パックから収納された粉粒体を振り出す様子を模式的に示した説明図である。
【００２６】
本例の口栓を取り付ける紙パック２００は、図３、図４のように、四角柱形状の胴部２０１と、平坦な底部を有している。天部は両側面の三角板２０２を内側に押し込み、三角板２０２の上辺に連設された、直角の角を上の外側にした直角三角形の片側面側に２つある折返し板を折返し、上端縁に折り込み、上方に飛び出たトップシール部２０３を融着させて密封して設け、天部の前部と後部に中央のトップシール部２０３より外側に向かって下に傾斜した屋根板２０４、２０５を設けた紙パック２００である。
【００２７】
この紙パック２００の前部の屋根板２０４に口栓取付け孔を設け、トップシール部２０３を融着させて密封して設ける前に、屋根板２０４の内面側から口栓１００を、その蓋部材２側から口栓取付け孔に挿入し、スパウト部１のフランジ部１１（図３、図４では隠れて見えない）を屋根板２０４の裏面に熱融着させて取り付ける。
【００２８】
このとき、ヒンジ部３側が上になるように、トップシール部２０３側にして、口栓１００を取り付ける。このようにして取り付けると、屋根板２０４の傾斜とスパウト部周壁１３の上端の周縁の傾斜が加わり、図３のように、スパウト部周壁１３の上端の周縁は紙パック２００の底面に対して大きな角度となる。
【００２９】
そのため紙パック２００を大きく傾けなくとも、液体と比較して流動性が悪い粉粒体が収納されていても、図４のように、振り出すことができる。
【００３０】
図５（ａ）は、本発明の口栓の一例の上面板に設けた振出し口を模式的に示した説明図である。（ｂ）は、本発明の口栓の他の例の上面板に設けた振出し口を模式的に示した説明図である。
【００３１】
本例では、図５（ａ）のように、スパウト部１の上面板１４に貫通孔１５ａを１つ設けて振出し口１５としたが、図５（ｂ）のように、スパウト部１の上面板１４に小さい貫通孔１５ｂを複数設けて振出し口１７としても良い。
【００３２】
また、口栓１００では、天面板２１に密封軸２５を設けたが、貫通孔１５ｂを複数設けた場合は、密封軸２５を貫通孔１５ｂに対応して複数設けても良いが、密封軸２５を設けず天面板２１の内面を平坦にしても良い。
【００３３】
図６は、本発明の口栓の更に他の例を紙パックに取り付けた状態を模式的に正面で示した説明図である。
【００３４】
口栓１００では、開いた蓋部材２がヒンジ３により、開いた状態で止まるようにしているが、内容物が粉粒体では強く振って出されることがあり、ヒンジ３で止めるだけでは動いてしまう恐れがあるときは、図６の口栓１０１のように、蓋部材２に係止部２６を設け、トップシール部２０３に係止することもできる。
【００３５】
係止部２６は、先端部分が２つに分かれ、トップシール部２０３を挟むようにして係止する。このように、蓋部材２に係止部２６を設けることにより、勢いよく振っても、蓋部材２が揺れて、振り出された内容物が蓋部材２に当たることがなく、飛び散る恐れがない。
【００３６】
口栓１０１では、蓋部材２の鍔部２３の先に係止部２６を設けた。このようにすると係止部２６も蓋部材２を開けるときに指を掛けることができ開けやすい。尚、紙パック側に口栓の係止部２６に対応した係止受け部を設けても良い。
【００３７】
以上のように本発明の口栓は、スパウト部の上端の周縁に対して、蓋部材が大きく開くことができ、紙パックの上端のトップシール部に当たって、大きく開くのを阻害されることもない。また、内容物が流動性の低い粉粒体で、大きく傾けて振って出したりする場合でも、蓋部材が邪魔になってしまうことがない。
【００３８】
また、蓋部材に紙パックの上端のトップシール部に係止する係止部が設けられていれば、振って出す場合にも、勢いが良すぎて蓋部材が揺れて、振り出された内容物が蓋部材に当たりすることがなく、振り出した内容物が飛び散る恐れがない。
【００３９】
このような口栓であるので、屋根型紙パックに取り付ける口栓として、粉粒体の塩、コショウ、粉末調味料、一味や七味唐辛子、削り節、青海苔、粉チーズ、その他の粉末食品全般に、また、粉粒体を少量ずつ振り出す用途に、広く用いることが出来る。
【符号の説明】
【００４０】
１００、１０１・・・口栓
１・・・スパウト部
２・・・蓋部材
３・・・ヒンジ部
１１・・・フランジ部
１２・・・台座部
１３・・・スパウト部周壁
１４・・・上面板
１５、１７・・・振出し口
１５ａ、１５ｂ・・・貫通孔
１６・・・スパウト部ロック機能
２１・・・天面板
２２・・・蓋部材周壁
２３・・・鍔部
２４・・・蓋部ロック機構
２５・・・密封軸
２６・・・係止部
２００・・・紙パック
２０１・・・胴部
２０２・・・三角板
２０３・・・トップシール部
２０４、２０５・・・屋根板
【図１】
2015085949.tif 000003
【図２】
2015085949.tif 000004
【図３】
2015085949.tif 000005
【図４】
2015085949.tif 000006
【図５】
2015085949.tif 000007
【図６】
2015085949.tif 000008